(57)【要約】【課題】キッチン側にいる調理者と該キッチン空間に隣接する部屋空間にいる子どもとの目線の高さを近付けてコミュニケーションをとることができるキッチンを提供する。【解決手段】  キッチン空間Ｋと該キッチン空間Ｋに隣接する部屋空間Ｌとの境界部に設けられるキッチンユニット２を有するキッチン１であって、キッチン空間Ｋの床面１１は、部屋空間Ｌの床面１０よりも所定高さＨ１低くなるように設けられている。【選択図】図３
2014061197.tif 000002
【特許請求の範囲】
【請求項１】
キッチン空間と該キッチン空間に隣接する部屋空間との境界部に設けられるキッチンユニットを有するキッチンであって、
前記キッチン空間の床面は、前記部屋空間の床面よりも所定高さ低い位置に設けられていることを特徴とするキッチン。
【請求項２】
前記部屋空間の壁には、繰り返し書き消し可能なボードが設けられていることを特徴とする請求項１に記載のキッチン。
【請求項３】
前記所定高さは、１５〜２５ｃｍであって、前記キッチン空間の床面から前記キッチンユニットの上面までの高さは、８０〜９５ｃｍであることを特徴とする請求項１又は２に記載のキッチン。
【請求項４】
前記キッチンユニットは、平面視略コの字形状であって、
前記コの字形状の一方の腕部は、前記キッチン空間の壁に沿って配置され、
前記コの字形状の背部及び他方の腕部は、前記キッチン空間と前記部屋空間の境界部に配置されており、
前記ボードは、前記背部に対向する前記部屋空間の壁又は前記一方の腕部が設けられている前記キッチン空間の壁と連なる前記部屋空間の壁に設けられていることを特徴とする請求項１乃至３のいずれかに記載のキッチン。
【請求項５】
前記一方の腕部には、加熱調理器が設けられ、
前記背部の前記キッチン空間側には、調理スペースが設けられ、
前記背部の前記部屋空間側には、前記調理スペースと略面一にカウンター部が設けられ、
前記他方の腕部には、シンクが設けられていることを特徴とする請求項４に記載のキッチン。
【請求項６】
前記他方の腕部は、上階又は下階から前記部屋空間へと繋がる階段に対向する位置に設けられていることを特徴とする請求項４又は５に記載のキッチン。
【請求項７】
請求項１乃至６のいずれかに記載のキッチンを備えることを特徴とする住宅。
【請求項８】
請求項１乃至６のいずれかに記載のキッチンを備えることを特徴とする住宅展示物。
【発明の詳細な説明】
【技術分野】
【０００１】
本発明は、キッチン空間側にいる調理者と該キッチン空間に隣接するダイニングルーム等の部屋空間側にいる子どもとの目線の高さを近付けるためのキッチン、住宅、及び住宅展示物に関する。
【背景技術】
【０００２】
近年の住宅では、キッチン側にいる調理者とキッチンに隣接するダイニングルーム等にいる人とのコミュニケーションができるように、キッチンとダイニングルームとの境界部にキッチンユニットを設けた対面型キッチンが普及している（例えば、特許文献１参照）。このような対面型キッチンでは、キッチン側にいる調理者とダイニングルーム側にいる人とが対面できるので、食事の際等に家族間でコミュニケーションをとるのに有効である。
【先行技術文献】
【特許文献】
【０００３】
【特許文献１】特開２０１０−１３１２０８号公報
【発明の概要】
【発明が解決しようとする課題】
【０００４】
しかしながら、特許文献１のようなキッチンでは、キッチン側の床面とダイニング側との床面の高さが同一であるため、キッチンにいる調理者（例えば、母親）とキッチンに隣接するダイニングルーム等の部屋空間にいる子どもとの目線の高さが異なる。また、キッチン側にいる調理者が、子どもと目線を合わせるために屈んだ場合には、キッチンユニットが間にあるので、コミュニケーションをとることが困難であるとともに、調理中等は屈むような姿勢になること自体が困難である。
【０００５】
本発明は、上記のような課題に鑑みてなされたものであって、キッチン側にいる調理者と該キッチン空間に隣接する部屋空間にいる子どもとの目線の高さを近付けてコミュニケーションをとることができるキッチンを提供することを目的とする。
【課題を解決するための手段】
【０００６】
上記目的を達成するために、請求項１に記載のキッチンは、キッチン空間と該キッチン空間に隣接する部屋空間との境界部に設けられるキッチンユニットを有するキッチンであって、前記キッチン空間の床面は、前記部屋空間の床面よりも所定高さ低い位置に設けられていることを特徴としている。
【０００７】
請求項２に記載のキッチンは、前記部屋空間の壁に繰り返し書き消し可能なドラフトウォールが設けられていることを特徴としている。
【０００８】
請求項３記載のキッチンは、前記所定高さが１５〜２５ｃｍであって、前記キッチン空間の床面から前記キッチンユニットの上面までの高さが８０〜９５ｃｍであることを特徴としている。
【０００９】
請求項４に記載のキッチンは、前記キッチンユニットが、平面視略コの字形状であって、前記コの字形状の一方の腕部は、前記キッチン空間の壁に配置され、前記コの字形状の背部及び他方の腕部は、前記キッチン空間と前記部屋空間の境界部に配置されており、前記ボードは、前記背部に対向する前記部屋空間の壁又は前記一方の腕部が設けられている前記キッチン空間の壁と連なる前記部屋空間の壁に設けられていることを特徴としている。
【００１０】
請求項５に記載のキッチンは、前記一方の腕部に加熱調理器が設けられ、前記背部の前記キッチン空間側に調理スペースが設けられ、前記背部の前記部屋空間側に記調理スペースと略面一にカウンター部が設けられ、前記他方の腕部にシンクが設けられていることを特徴としている。
【００１１】
請求項６に記載のキッチンは、前記他方の腕部が、上階又は下階から前記部屋空間へと繋がる階段に対向するよう設けられていることを特徴としている。
【００１２】
請求項７に記載の住宅は、請求項１乃至６のいずれかに記載のキッチンを備えることを特徴としている。
【００１３】
請求項８に記載の住宅展示物は、請求項１乃至６のいずれかに記載のキッチンを備えることを特徴としている。
【発明の効果】
【００１４】
請求項１に記載のキッチンによれば、キッチン空間の床面は、キッチン空間に隣接する部屋空間の床面よりも所定高さ低くなるように段落ちして設けられているので、キッチン空間側にいる母親等の調理者と、部屋空間にいる子どもとの目線の高さを近付けてコミュニケーションをとることができる。また、キッチン空間側にいる調理者は、部屋空間側で遊んでいる子どもの様子等を子どもの目線に近い状態から見守ることができるので、安心して調理等の作業を行うことができる。
【００１５】
請求項２に記載のキッチンによれば、キッチン空間に隣接する部屋空間の壁に繰り返し書き消し可能なボードが設けられているので、キッチン空間側にいる調理者は、部屋空間側の壁に設けられたボードにお絵かきをしている子どもの様子を子どもの目線に合わせて見守ることができる。また、子どもにとっては、ボードに描いた絵等を見てもらいたいことをキッチン空間側に行かなくても、部屋空間側からキッチンユニット越しに調理者に伝えて、キッチン空間側から絵を見てもらうことができる。従って、調理者は、子どもが調理中等にキッチン空間側に入ってくることを防止しつつ、ボードに描いた絵等を見ながら会話することもできるので、安全にコミュニケーションをとることができる。
【００１６】
請求項３に記載のキッチンによれば、キッチン空間の床面は、部屋空間の床面よりも１５〜２５ｃｍ低い位置に設けられており、キッチン空間の床面からキッチンユニットの上面までの高さは、８０〜９５ｃｍであるので、キッチン空間側にいる調理者の目線の高さを、部屋空間側にいる子どもの目線の高さに近付けることができる。また、部屋空間側にいる場合、キッチンユニットの上面までの高さは、キッチン空間側にいる場合よりも１５〜２５ｃｍ低くなるので、身長が１００ｃｍ前後の子どもでも、部屋空間側からキッチンユニットの上面で調理している様子等を見ることができる。
【００１７】
請求項４に記載のキッチンによれば、キッチンユニットは、平面視略コの字形状であって、コの字形状の一方の腕部は、キッチン空間の壁に沿って配置され、コの字形状の背部及び他方の腕部は、キッチン空間と部屋空間の境界部に配置されており、前記ボードは背部に対向する部屋空間の壁又は一方の腕部が設けられている壁に連なる部屋空間の壁に設けられているので、調理者は、キッチンユニットのどの部分で作業をしていてもボードにお絵かき等をしている子どもの様子を容易に把握することができるので、安心して調理等の作業を行うことができる。
【００１８】
請求項５に記載のキッチンによれば、コの字形状のキッチンユニットの背部の部屋空間側には調理スペースと略面一にカウンター部が設けられているので、カウンター部で簡易な食事やお絵かき等をしている子どもと、ボードにお絵かきをしている子どもを一緒に見守ることができる。
【００１９】
請求項６に記載のキッチンによれば、コの字形状のキッチンユニットの他方の腕部は、上階又は下階から部屋空間へと繋がる階段に対向する位置に設けられているので、調理者が調理作業を行っている時や子どものボードへのお絵かき等を見守っている時でも階段から部屋空間へと入ってくる人を容易に把握することができる。また、階段から部屋空間へと入ってくる人は、キッチン空間側にいる調理者と、ボードへお絵かき等をしている子どもの様子をすぐに把握することができる。
【００２０】
請求項７に記載の住宅によれば、請求項１乃至６のいずれかの効果を有する住宅とすることができる。
【００２１】
請求項８に記載の住宅展示物によれば、請求項１乃至６のいずれかの効果を有する住宅展示物とすることができる。
【図面の簡単な説明】
【００２２】
【図１】本発明のキッチンを備えた住宅の一例を示す間取り図である。
【図２】図１におけるＡ−Ａ線断面図である。
【図３】図１におけるＢ−Ｂ線断面図である。
【発明を実施するための形態】
【００２３】
以下、本発明に係るキッチンの実施形態について、図面を参照しつつ説明する。本発明の実施形態に係るキッチン１は、図１に示すように、キッチン空間Ｋと該キッチン空間Ｋに隣接するリビングルーム（部屋空間）Ｌとの境界部に設けられるキッチンユニット２を有している。
【００２４】
キッチンユニット２は、図１に示すように、互いに対向する腕部２１，２３と、これらの端部を結ぶ背部２２とによって平面視略コの字形状に形成されている。このキッチンユニット２のコの字形状の一方の腕部２１は、キッチン空間Ｋの壁３に沿って設けられている。また、コの字形状の背部２２及び他方の腕部２３は、それぞれキッチン空間ＫとリビングルームＬとの境界部に設けられている。
【００２５】
腕部２１には、調理用コンロ等の加熱調理器４が配設されている。また、腕部２１は、対向する他方の腕部２３よりも長く形成されており、加熱調理器４よりも自由端側のワークトップの上面が調理等を行う作業スペース等として利用できるようになっている。
【００２６】
背部２２の上面のキッチン空間Ｋ側には、調理スペース５が設けられており、リビングルームＬ側にはカウンター部６が設けられている。また、調理スペース５とカウンター部６との上面は、略面一になるよう連続して形成されている。このカウンター部６は、例えば、カウンター用の椅子７に座って簡易な食事をとったり、子どもがお絵かき等をしたりするためのスペースとして利用することができる。また、腕部２３には、シンク８が配設されている。この腕部２３のシンク８よりもリビングルームＬ側には、背部２２と同様にカウンター部９が設けられている。
【００２７】
このようなキッチンユニット２を有するキッチン１は、図２及び図３に示すように、隣接するリビングルームＬの床面１０よりもキッチン空間Ｋの床面１１が所定高さＨ１低い位置に設けられている。この所定高さＨ１は、特に限定されるものではないが、キッチン空間Ｋの床面１１からキッチンユニット２のワークトップの上面までの高さＨ２を考慮して、１５〜２５ｃｍの間で設定されることが好ましい。尚、高さＨ２については、一般的には８０〜９５ｃｍの間に設定されており、主としては８５ｃｍ又は９０ｃｍに設定される。
【００２８】
このように、キッチン空間Ｋの床面１１が、リビングルームＬの床面１０よりも所定高さＨ１低くなるよう段落ちして設けられることにより、キッチン空間Ｋ側にいる母親等の調理者と、リビングルームＬにいる子どもとの目線の高さを近付けてコミュニケーションをとることができる。また、リビングルームＬ側にいる場合には、キッチンユニット２の上面までの高さは、キッチン空間Ｋ側にいる場合よりも所定高さＨ１低くなる。つまり、リビングルームＬ側では、床面１０からキッチンユニット２の上面までの高さＨ３＝Ｈ２−Ｈ１となるので、Ｈ２＝８５ｃｍで、Ｈ１＝１８ｃｍのように設定されている場合には、Ｈ３＝６７ｃｍとなり、身長が１００ｃｍ前後の子どもでも、踏み台等を用いなくてもリビングルームＬ側からキッチンユニット２の上面で調理している様子等を見ながらコミュニケーションをとることができる。
【００２９】
また、図１〜図３に示すように、カウンター部６が設けられている背部２２と対向するリビングルームＬ側の壁１２ａ及び腕部２１が設けられているキッチン空間Ｋ側の壁３と連続するリビングルームＬ側の壁１２ｂには、それぞれボード１３（１３ａ、１３ｂ）が設けられている。このボード１３としては、例えば、ドラフトウォールや多機能ガラス黒板と呼ばれる繰り返し書き消し可能なボード状のものが好適に用いられる。ドラフトウォールは、例えば、特殊な表面処理を施した機能性ガラスによって形成されており、ホワイトボードに比べて容易に書き消しが可能であるので、子どもが何度でも自由に落書き等をすることができる。また、このようなドラフトウォールを採用することにより、通常の黒板等を用いた場合のようにチョークの粉等が指や体に付着して汚れることも防止できるので、子どもが落書き等をして遊ぶ環境にも適している。
【００３０】
このように、カウンター部６に対向するリビングルームＬ側の壁１２ａや壁１２ｂにボード１３が設けられることにより、図３に示すように、調理者は、キッチンユニット２のどの部分で作業をしている場合でも、カウンター部６でお絵かき等をしている子どもと、ボード１３でお絵かき等をしている子どもとの双方の様子を容易に把握することができるので、安心して調理等の作業を行うことができる。また、キッチン空間Ｋ側の床面１１は、リビングルームＬの床面１０よりも所定高さＨ１低い位置にあるので、調理者は、ボード１３でお絵かきをしている子どもの目線の高さに近い位置から子どもの書いた絵等を見ることができる。尚、ボード１３は、必ずしもドラフトウォールに限定されるものではなく、その他の繰り返し書き消し可能なボード部材であれば良く、落書き機能付きのタッチパネル等であっても良い。また、本実施形態では、壁１２ａ及び壁１２ｂの双方にそれぞれボード１３ａ、１３ｂが設けられている例を示しているが、壁１２ａ又は壁１２ｂのいずれか一方のみにボード１３を設けられるようにしても良い。
【００３１】
また、腕部２３は、図１に示すように、２階からリビングルームＬへと繋がる階段１４に対向するように配置されている。従って、キッチン空間Ｋにいる調理者は、調理作業を行っている時やボード１３へのお絵かき等をしている子どもを見守っている時でも階段１４からリビングルームＬへ降りてくる人の様子を容易に把握することができる。同様に階段１４からリビングルームＬへと降りてくる人も、キッチン空間Ｋの様子及びボード１３へお絵かき等をしている子どもの様子を容易に把握することができる。尚、本実施形態では、キッチン１が住宅の１階に備えられた場合の例を示しているが、キッチン１を２階以上の階に備えても良い。その場合には、階段１４は、上階又は下階からリビングルームＬへと繋がる階段となる。また、このキッチン１は、階段１４が設けられていないようなマンション等の住戸に備えられていても良い。
【００３２】
また、本実施形態では、図１に示すように、腕部２３と階段１４との間のリビングルームＬの略中間部には、キッチン空間Ｋと同様に所定高さＨ分だけ床面１０よりも段落ちしてピットリビング１５が形成されている。このピットリビング１５は、平面視において角がない形状をしており、段落ちしている周縁部のどこにでも座ることができるようになっている。また、階段１４からキッチン空間Ｋへの動線と略直交する方向に、ピットリビング１５と対向するようにダイニングルームＤが配置されている。尚、本実施形態では、キッチン空間Ｋに隣接する部屋空間がリビングルームＬである例を示しているが、この間取りに限定されるものではなく、キッチン空間Ｋに隣接する部屋空間は、ダイニングルームやリビングダイニングルーム等であっても良い。
【００３３】
また、本発明の実施の形態は上述の形態に限ることなく、本発明の思想の範囲を逸脱しない範囲で適宜変更することができる。
【符号の説明】
【００３４】
１              キッチン
２              キッチンユニット
２１            一方の腕部
２２            背部
２３            他方の腕部
３              キッチン空間の壁
４              加熱調理器
５              調理スペース
６              カウンター部
８              シンク
１０            リビングルームの床面
１１            キッチン空間の床面
１２ａ、１２ｂ  リビングルームの壁
１３ａ、１３ｂ  ボード（ドラフトウォール）
１４            階段
Ｋ              キッチン空間
Ｌ              リビングルーム（部屋空間）
【図１】
2014061197.tif 000003
【図２】
2014061197.tif 000004
【図３】
2014061197.tif 000005